(57)【要約】【課題】回路チューブにねじれが生じないため、体液循環中のチューブが折れることのない体液処理器のポート及び体液処理器を提供すること。【解決手段】体液流出入口（４）と、内面にネジ部材（７）を形成した接続部材（６）を別部品で形成し、前記体液流出入口（４）の外周に前記接続部材（６）を回転できるように装着した体液処理器のポート（３）。前記体液流出入口（４）の外周部をテーパー状に形成するとともに当該外周部に係止部（５）を形成し、前記接続部材（６）の底部に前記係止部（５）と係止できるフランジ（８）を形成した。【選択図】図１
2004187753.tif 000002
【特許請求の範囲】
【請求項１】
体液流出入口（４）と、内面にネジ部材（７）を形成した接続部材（６）を別部品で形成し、前記体液流出入口（４）の外周に前記接続部材（６）を回転できるように装着した、ことを特徴とする体液処理器のポート（３）。
【請求項２】
前記体液流出入口（４）の外周部をテーパー状に形成するとともに当該外周部に係止部（５）を形成し、前記接続部材（６）の底部に前記係止部（５）と係止できるフランジ（８）を形成した、ことを特徴とする請求項１に記載の体液処理器のポート（３）。
【請求項３】
回路側の接続部材と体液処理器を回転することなく、前記接続部材（６）をネジ回転するのみで、回路側の接続部材を前記体液流出入口（４）の外周に、締付けること、又は緩めることができるように形成したことを特徴とする請求項１ないし請求項２に記載の体液処理器のポート（３）。
【請求項４】
請求項１ないし請求項３に記載のポート（３）を装着したことを特徴とする体液処理器（１）。
【発明の詳細な説明】
【０００１】
【発明の属する技術分野】
本発明は、血液透析器、血液濾過器、血液透析濾過器、血漿分離器、血漿成分分離分離器等体液処理器のポートの改良に関するものであり、体液処理器のポートと当該ポートに連結される回路側接続部材の接続形態の改良に関する。
【０００２】
【従来の技術及び発明が解決しようとする課題】
例えば図５に例示するように従来の体液処理器５１は、ポート５３の体液流出入口５４に接続部材５６（オスコネクターともいう）を一体に成形し（例えば特許文献１、特許文献２参照）、当該オスコネクター５６に例えば図６に例示する回路側の接続部材６１（メスコネクターともいう）をそれぞれテーパーで嵌合するように形成している。当該オスコネクター５６（メスコネクター６１）には一体化されたネジ部材５７、６３が付設されており、ネジ部材５７、６３を回転させて締め込むことにより接合することができるように形成されている。
しかしながら当該手段によれば、ネジ部材５７、６３を締めこむとき回路側のチューブ６２がねじれて、準備中や体液の循環中にチューブ６２が折れることがあった。またチューブ６２には外れる方向の応力が残っており、非常に僅かな確率であるが体液の循環中にネジ部材５７、６３の締付けが緩んで、体液の洩れを招く恐れがあった。
【０００３】
【特許文献１】
特許第３３２０７７８号（図１から３）
【特許文献２】
実開昭５３−５３８８９号（３から４頁、図２から３）
【０００４】
【課題を解決するための手段】
そこで、本発明者は以上の課題を解決するために鋭意検討を重ねた結果次の発明に到達した。
［１］本発明は、体液流出入口（４）と、内面にネジ部材（７）を形成した接続部材（６）を別部品で形成し、前記体液流出入口（４）の外周に前記接続部材（６）を回転できるように装着した体液処理器のポート（３）を提供する。
［２］本発明は、前記体液流出入口（４）の外周部をテーパー状に形成するとともに当該外周部に係止部（５）を形成し、前記接続部材（６）の底部に前記係止部（５）と係止できるフランジ（８）を形成した［１］に記載の体液処理器のポート（３）を提供する。
［３］本発明は、回路側の接続部材と体液処理器を回転することなく、前記接続部材（６）をネジ回転するのみで、回路側の接続部材を前記体液流出入口（４）の外周に、締付けること、又は緩めることができるように形成した［１］ないし［２］に記載の体液処理器のポート（３）を提供する。
［４］本発明は、［１］ないし［３］に記載のポート（３）を装着した体液処理器（１）を提供する。
【０００５】
【発明の実施の形態】
図１は本発明の体液処理器１の概略図であり、図２はポート３の体液流出入口４と接続部材６の拡大図である。
本発明の体液処理器のポート３は、図２に例示するように体液流出入口４と、内面にネジ部材７を形成した接続部材６を別部品で形成し、前記体液流出入口４の外周に前記接続部材６を回転できるように装着している。
さらに前記体液流出入口４の外周部をテーパー状に形成するとともに当該外周部に係止部５を形成している。前記接続部材６は円筒状に形成され、一端部はネジが開放され、他方の端部（底部ともいう）には前記係止部５と係止できるフランジ８を形成している。
本発明のポート３は、図３に例示するように回路側の接続部材６１と体液処理器１を回転することなく、接続部材６をネジ回転するのみで、回路側の接続部材６１（メスコネクター）を前記体液流出入口４の外周に、締付け（又は緩めることが）できるように形成されている。図４に体液流出入口４及び接続部材６と回路側の接合部材６１を接合した時の拡大図を示す。接続部材６の内面に形成したネジ部材７と回路側の接続部材６１外面に形成したネジ部材６３とは相互に噛み合っており、接続部材６は底面のフランジ８と体液流出入口４外周の係止部材５とにより係止されており、体液流出入口４外周のテーパ−部と回路側の接合部材６１内面のテーパ−部とが密着嵌合して液密を保持している。
本発明のポート３の形態は、図１及び図２に例示したものに限定されない。要するに体液流出入口４と、内面にネジ部材７を形成した接続部材６を別部品で形成し、前記体液流出入口４の外周に前記接続部材６を回転できるように装着でき、かつ回路側の接続部材６１と体液処理器１を回転することなく、接続部材６をネジ回転するのみで、回路側の接続部材６１（メスコネクター）を前記体液流出入口４の外周に、締付け（又は緩めることが）できるように形成することができる形態であれば何でも良い。
【０００６】
【実施例】
体液流出入口４と内面にネジ部材７を形成した接続部材６を別部品で形成したポート３を有する体液処理器１（図１、図２参照、実施例１）と、体液流出入口５４と接続部材５６を一体化したポート５３を有する体液処理器５１（図５参照、比較例１）を用いて、これらのポート３、５３と回路側の接続部材６１との接続性等を以下のように比較検討した。
なお、体液処理器１、５１のポート３、５３及び回路側の接続部材６１、チューブ６２の材料は以下のものを使用した。
実施例１
接続部材６：ポリプロピレン
ポート３：ポリカーボネート
ハウジング２：ポリカーボネート
比較例１
ポート５３：ポリカーボネート
ハウジング５２：ポリカーボネート
回路
メスコネクター６１：ポリ塩化ビニル
チューブ６２：ポリ塩化ビニル
【０００７】
体液処理回路（図示せず、以下回路と略記する）の動脈側（以下Ａ側）に生理的食塩液を充填した後、ホルダー（図示せず）に固定した体液処理器１、５１のＡ側ポート３、５３と回路Ａ側のメスコネクター６１とを約２０ｃＮ・ｍのトルクで接続した。次に体液処理器１、５１の静脈側（以下Ｖ側）ポート３、５３とＶ側回路のメスコネクター６１とを約２０ｃＮ・ｍのトルクで接続した後、Ｖ側回路のねじれ具合を調べた。
体液処理器１、５１及び回路へのプライミングを終了させた後、４０℃の水を３００ｍＬ／分の流速で５時間循環させて回路チューブ６１の折れ具合、回路と体液処理器１、５１との各接続部６、５６、６１からの洩れを確認した。各々１０回の試験を行った。
【０００８】
【表１】
2004187753.tif 000003
【０００９】
【発明の作用効果】
本発明のポート３は、回路側の接続部材６１と体液処理器１を回転することなく、接続部材６をネジ回転するのみで、回路側の接続部材６１（メスコネクター）を前記体液流出入口４の外周に、締付けできるように形成されているので、
▲１▼ネジ部材６を締めこむとき回路チューブ６２にねじれが生じない。
▲２▼▲１▼により体液循環中のチューブのねじれによる折れがなくなった。
▲３▼体液循環中にネジが緩んで、体液の洩れが発生することがなくなった。
【図面の簡単な説明】
【図１】本発明の体液処理器の概略図
【図２】本発明の体液処理器の接合部材とポートの一部拡大図
【図３】本発明の体液処理器ポートの使用例を示す概略図
【図４】本発明の体液処理器のポートと回路を接合した時の嵌合部拡大図
【図５】従来の体液処理器の概略図
【図６】回路の体液処理器接続部の概略図
【符号の説明】
１、５１  体液処理器
２、５２    ハウジング
３、５３  ポート
４、５４  体液流出入口
５  係止部
６、５６  接続部材
７、５７  ネジ部材
８  フランジ
６１  メスコネクター
６２  （回路）チューブ
６３  ネジ部材
【図１】
2004187753.tif 000004
【図２】
2004187753.tif 000005
【図３】
2004187753.tif 000006
【図４】
2004187753.tif 000007
【図５】
2004187753.tif 000008
【図６】
2004187753.tif 000009